(57)【要約】      （修正有）【課題】商品の袋詰め作業や密封チャックの嵌合作業が極めて容易になり、商品の陳列効果に優れたチャック付自立角底袋を提供する。【解決手段】前面フィルム１と後面フィルム２との左右側縁に一対の横マチ部４を溶着し、開口部に密封チャック３を溶着して底ガゼット袋を構成する。前面フィルム及び後面フィルムの高さを横マチ部の高さよりも高く形成すると共に、前面フィルムと後面フィルムとの内側に密封チャックを溶着して開口縁部７を形成する。また、横マチ部の上部に、密封チャックの一端部を予め嵌合状態で固定する固定端部３Ａを設ける。【選択図】図１
0003197385.tif 000002
【実用新案登録請求の範囲】
【請求項１】
合成樹脂製袋体の前面フィルムと後面フィルムとの左右側縁に一対の横マチ部が溶着され、開口部に密封チャックが溶着された底ガゼット袋にて構成される密封チャック付自立角底袋において、前面フィルム及び後面フィルムの高さを横マチ部の高さよりも高く形成すると共に、横マチ部の上部で、且つ前面フィルムと後面フィルムとの内側に密封チャックを溶着して開閉自在な一対の開口縁部を形成し、密封チャックの一端部に固定端部を設け、該一端部を予め嵌合状態で固定するように設けたことを特徴とする密封チャック付自立角底袋。
【請求項２】
前記密封チャックの下側縁は、前記横マチ部の上端縁と近接するように構成され、前記密封チャックの嵌合時に前記横マチ部の上端縁が前記密封チャックの下側縁にて施蓋されるように構成した請求項１記載の密封チャック付自立角底袋。
【請求項３】
前記開口縁部の一方を上方に延長してヘッダーを形成し、該ヘッダーに、収納した商品を表示する商品表示面を設けた請求項１記載の密封チャック付自立角底袋。
【考案の詳細な説明】
【技術分野】
【０００１】
本考案は、開口部にチャックが付いた自立角底袋に係り、特に、開口部からの収納が容易なチャック付自立角底袋に関する。
【背景技術】
【０００２】
開口部にチャックが付いたガゼット袋はこれまで多く提供されている。例えば、当考案者は、先に、密封チャック付ガゼット袋及びその製造方法を提案している（特許文献１参照）。このガゼット袋は、密封チャックの下方に位置決めシールを平行に溶着し、この位置決めシールの間に横マチ部の上端部を挿入して位置決めシールに溶着するものである。
【０００３】
この密封チャック付ガゼット袋により、横マチ部の上端部の位置が位置決めシールによって正確、且つ容易に位置決めされ、しかも、この上端部が密封チャックに重ならないので、高い密封性能を維持することができるものである。
【先行技術文献】
【特許文献】
【０００４】
【特許文献１】特許第４３７０６０４号公報
【考案の開示】
【考案が解決しようとする課題】
【０００５】
特許文献１に記載のガゼット袋により、高い密封性能を維持する密封チャック付ガゼット袋の提供が可能になった。しかも、チャックの位置が位置決めシールの上に設置されるので、ガゼット袋の開口部は横マチ部の上端部を溶着した位置決めシールを介して形成されることになる。そのため、開口部から袋の内部に収納物を収納する際に、横マチ部の上端部は全く妨げにならずに済む。
【０００６】
ところが、これまで、密封チャック付ガゼット袋を利用して商品の陳列などに適したチャック付自立角底袋は提案されていなかった。例えば、果物を袋詰めにする袋やクッキーなどの菓子類を袋詰めにする合成樹脂製の袋は、いずれも商品をまとめることは可能でも、商品を効率良く展示することができないものであった。
【０００７】
しかも、これら商品陳列用の従来の袋は、開口部を閉じる紐状の緊締部材で閉じることがある。この場合、商品の袋詰め作業に多くの手間を要するものであった。また、商品収納後、ヒートシールすることもあるが、ヒートシーラー等の特殊な機械を導入する必要があるので、小規模の袋詰めには適していない。
【０００８】
そこで本考案は、上述の課題を解消し、チャック付のガゼット袋を改良することで、商品の袋詰め作業が極めて容易になり、商品の陳列効果に優れたチャック付自立角底袋の提供を目的とするものである。
【課題を解決するための手段】
【０００９】
本考案の第１の手段は、合成樹脂製袋体の前面フィルム１と後面フィルム２との左右側縁に一対の横マチ部４が溶着され、開口部に密封チャック３が溶着された底ガゼット袋にて構成される密封チャック付自立角底袋において、前面フィルム１及び後面フィルム２の高さを横マチ部４の高さよりも高く形成すると共に、横マチ部４の上部で、且つ前面フィルム１と後面フィルム２との内側に密封チャック３を溶着して開閉自在な一対の開口縁部７を形成し、密封チャック３の一端部に固定端部３Ａを設け、該一端部を予め嵌合状態で固定するように設けたことにある。
【００１０】
第２の手段において、前記密封チャック３の下側縁は、前記横マチ部４の上端縁と近接するように構成され、前記密封チャック３の嵌合時に前記横マチ部４の上端縁が前記密封チャック３の下側縁にて施蓋されるように構成した。
【００１１】
第３の手段において、前記開口縁部７の一方を上方に延長してヘッダー６を形成し、該ヘッダー６に、収納した商品を表示する商品表示面８を設けたものである。
【考案の効果】
【００１２】
本考案の請求項１のごとく、前面フィルム１及び後面フィルム２の高さを横マチ部４の高さよりも高く形成すると共に、横マチ部４の上部で、且つ前面フィルム１と後面フィルム２との内側に密封チャック３を溶着して開閉自在な開口縁部７を形成し、密封チャック３の一端部を予め嵌合状態に固定したことにより、開口縁部７を持って密封チャック３を開けると、開口部の片側が大きく開いた状態になる。この結果、大きく開いた開口部から収納物を収納することができるので、商品の袋詰め作業が極めて容易になる。
【００１３】
しかも、固定端部３Ａによって密封チャック３の一端部を予め嵌合状態に固定しているので、大きく開いた開口部の密封チャック３を相互に嵌合する際に、予め嵌合されている一端部から開いている部分を順次嵌合することができるので、密封チャック３の嵌合作業が極めて容易になる。このように、商品の袋詰め作業や密封チャック３の嵌合作業が容易になるので、極めて多くの種類の商品を収納するのに適した袋を提供することができる。
【００１４】
請求項２のように、密封チャック３の下側縁は、横マチ部４の上端縁と近接するように構成され、密封チャック３の嵌合時に横マチ部４の上端縁が密封チャック３の下側縁にて施蓋されるように構成したことで、横マチ部４に密封チャック３が溶着されていない状態でも、開口部を施蓋した状態にすることができる。この結果、果物や菓子類など、各種の商品を収納するのに好適なチャック付自立角底袋になっている。
【００１５】
請求項３のごとく、開口縁部７の一方を上方に延長してヘッダー６を形成し、該ヘッダー６に、収納した商品を表示する商品表示面８を形成したものであるから、本考案チャック付自立角底袋に収納した商品の内容がわかりやすくなり、消費者の購買意欲を高めることが可能である。
【００１６】
このように本考案によると、商品の袋詰め作業や密封チャックの嵌合作業が極めて容易になり、商品の陳列効果に優れたものである。
【図面の簡単な説明】
【００１７】
【図１】本考案袋の一実施例を示す斜視図である。
【図２】本考案袋の開口部を閉じた状態を示す正面図である。
【図３】本考案袋のヘッダーと開口縁部を示す要部断面図である。
【図４】本考案の横マチ部と固定端部とを示す平面図である。
【図５】本考案の底ガゼット袋の他の実施例を示す要部斜視図である。
【考案を実施するための形態】
【００１８】
本考案で使用する底ガゼット袋Ｐは合成樹脂材とし、例えば、厚さ0.03〜0.1mmのポリプロピレンフィルムに厚さ0.015 mmのナイロンフィルムがラミネートされたフィルム材にて形成された袋体を使用する。また、このほかの材質として、OPPフィルムシート、CCPフィルム、PEフィルム、A-PETフィルム、PETフィルムシート、OPSフィルムなどの使用も可能である。
【００１９】
本考案密封チャック付自立角底袋は、底ガゼット袋を使用するものである（図１参照）。すなわち、前面フィルム１と後面フィルム２との左右側縁に一対の横マチ部４が溶着されると共に底部５が形成されたものである。そして、前面フィルム１と後面フィルム２との開口部内側に密封チャック３が溶着されている（図３参照）。
【００２０】
このとき、前面フィルム１及び後面フィルム２の高さを横マチ部４の高さよりも高く形成し、横マチ部４の上部の位置に密封チャック３を溶着して開閉自在な開口縁部７を形成している（図1参照）。この密封チャック３は、前面フィルム１と後面フィルム２との内側を開閉自在に密封するもので、この密封チャック３に沿って開口縁部７が形成される。
【００２１】
この密封チャック３は、開口縁部７の内側で凸部側と凹部側が相対向するように設けている。更に、密封チャック３の一端部に固定端部３Ａを設けることで、密封チャック３の一端部を予め嵌合状態のまま固定している。図示の固定端部３Ａは密封チャック３の端部を溶着したものである（図４参照）。このように固定端部３Ａを設けることで、開口縁部７が大きく開いた後で、密封チャック３相互を嵌合させる際に、固定端部３Ａから順次嵌合できるので、密封チャック３の嵌合作業を容易にすることができる。尚、固定端部３Ａの位置は密封チャック３の長手両端部から、いずれか一方を選択して設けることができる（図５参照）。
【００２２】
また、密封チャック３は前面フィルム１と後面フィルム２との当接面を開閉自在に密封しているが、一対の横マチ部４を密封するものではない。そのため、この密封チャック３の下側縁は、横マチ部４の上端縁と近接するように構成されている。したがって、横マチ部４に密封チャック３が溶着されていない状態でも、開口部を施蓋した状態にすることができる（図２参照）。
【００２３】
前面フィルム１及び後面フィルム２の一方の開口縁部７を上方に延長してヘッダー６を形成する。このヘッダー６は、収納した商品を表示する他、本考案自立角底袋を任意の位置に係止する際に使用するものである。
【００２４】
図示のヘッダー６は補強片６Ｂが重合されている（図３参照）。そして、補強片６Ｂを重合したヘッダー６に係止部６Ａを貫通形成する（図１参照）。図示の係止部６Ａは小径口の孔状を成し、係止ピン等に係止するものである。また、手指にて係止する係止部６Ａを形成することで手提げとして用いることも可能である（図示せず）。
【００２５】
図５は、ヘッダー６に商品表示面８を設けた例を示している。この商品表示面８は、ヘッダー６上に別体で設ける他、ヘッダー６自体で形成することも可能である。そして、本考案自立角底袋を任意の場所に自立させて展示する際に、このヘッダー６や商品表示面８が収納した商品名や量、値段等を効率良く示すものになる。
【００２６】
尚、図示例の各構成は、本考案の一実施例に過ぎず、たとえば自立袋の形状やサイズなどは、収納する商品の形態に応じて自由に選択できるものであり、本考案の要旨を変更しない範囲において自由に変更することができる。
【符号の説明】
【００２７】
１  前面フィルム
２  後面フィルム
３  密封チャック
３Ａ  固定端部
４  横マチ部
５  底部
６  ヘッダー
６Ａ  係止部
６Ｂ  補強片
７  開口縁部
８  商品表示面
【図１】
0003197385.tif 000003
【図２】
0003197385.tif 000004
【図３】
0003197385.tif 000005
【図４】
0003197385.tif 000006
【図５】
0003197385.tif 000007